(57)【要約】【課題】防漏壁を有する生理用ナプキンにおいて、防漏壁を股間部にフィットさせやすくして、横漏れや後方への漏れを生じ難い生理用ナプキンを得る。【解決手段】本体部２の肌側表面に設けられた防漏壁３０は、肌当接壁３６を有しており、その内側縁部３６Ｂは内縁前端３２ａで固定され、外側縁部３６Ａは、前記内縁前端３２ａよりも前方において外縁前端３４ａにおいて固定されている。よって、防漏壁３０の肌当接壁３６は、外側縁部３６Ａが内側縁部３６Ｂよりも身体に近づく傾斜姿勢で立ち上がる。よってこの肌当接壁３６が膣口の両側部で股間部にフィットしやすくなる。【選択図】    図４
2005007076.tif 000002
【特許請求の範囲】
【請求項１】
液吸収層を備えて肌側表面と着衣側表面を有する本体部と、前記本体部の肌側表面で横方向に間隔を開けて縦方向に延在する防漏壁とを有する生理用ナプキンにおいて、
前記防漏壁は、シートと前記シートに弾性収縮力を与える弾性収縮部材とを有し、前記防漏壁には、縦方向に延在する基端が前記本体部の肌側表面に固定された立上がり壁と、前記基端から離れた位置で前記立上がり壁に連続する肌当接壁とが形成されて、前記肌当接壁は、縦方向中心線寄りに設けられた内側縁部と、前記内側縁部よりも横方向外側に設けられた外側縁部とを有し、前記内側縁部の縦方向における前端および後端と、前記外側縁部の縦方向における前端および後端とが、前記本体部の肌側表面に固定されており、
前記外側縁部の前端と後端との縦方向の距離が、前記内側縁部の前端と後端との縦方向の距離よりも長く、前記外側縁部が前記内側縁部よりも肌側に離れた状態で前記防漏壁が立上がり可能とされていることを特徴とする生理用ナプキン。
【請求項２】
前記内側縁部の前端よりも前記外側縁部の前端が前方に位置し、前記内側縁部の後端よりも前記外側縁部の後端が後方に位置している請求項１記載の生理用ナプキン。
【請求項３】
前記内側縁部の前端と後端との縦方向の距離が、前記外側縁部の前端と後端との縦方向の距離の５０〜９５％の範囲に設定されている請求項１または２記載の生理用ナプキン。
【請求項４】
前記肌当接壁には、縦方向に延在する第１の弾性収縮部材および第２の弾性収縮部材が設けられ、前記第１の弾性収縮部材は外側縁部に沿ってまたは外側縁部に近い位置に設けられ、前記第２の弾性収縮部材は内側縁部に沿ってまたは内側縁部に近い位置に設けられており、本体部を平坦な状態としたときに、前記第１の弾性収縮部材による弾性収縮力が前記第２の弾性収縮部材による弾性収縮力よりも大きい請求項１ないし３のいずれかに記載の生理用ナプキン。
【請求項５】
前記立上がり壁の前記基端から離れた中間部が、前記内側縁部の前端と外側縁部の前端との間、および前記内側縁部の後端と外側縁部の後端との間において本体部の肌側表面に固定されて、前記立上がり壁の中間部に、横方向外側に向く折曲げ軸が形成されている請求項１ないし４のいずれかに記載の生理用ナプキン。
【請求項６】
前記立上がり壁と前記肌当接壁との境界部は、前記肌当接壁の内側縁部と外側縁部との中間に位置し、前記肌当接壁に、前記内側縁部から前記境界部までの内側壁部と、前記境界部から前記外側縁部までの外側壁部とが形成されている請求項１ないし５のいずれかに記載の生理用ナプキン。
【請求項７】
防漏壁が立ち上がった状態で、前記外側縁部が前記境界部よりも肌側に位置して、前記外側壁部が傾斜する請求項６記載の生理用ナプキン。
【請求項８】
前記内側壁部は、前記外側壁部よりも多くのシートで形成されている請求項６または７記載の生理用ナプキン。
【請求項９】
前記外側壁部の幅寸法が、内側壁部の幅寸法よりも大きい請求項６ないし８のいずれかに記載の生理用ナプキン。
【発明の詳細な説明】
【０００１】
【発明の属する技術分野】
本発明は、液吸収層を有する本体部と、前記本体部の肌側表面において縦方向に延在する防漏壁とが設けられた生理用ナプキンに関する。
【０００２】
【従来の技術】
身体に装着される吸収性物品は、その本体部に液透過性の表面シートと液不透過性の裏面シート、および前記表面シートと前記裏面シートとの間に位置する液吸収層とが設けられている。また本体部に与えられた液の横方向への漏れを防止するために、前記本体部の肌側表面に防漏壁が設けられたものが存在している。
【０００３】
前記防漏壁は、その基端が縦方向に沿って本体部の肌側表面に固定されたシートと、前記シートに固定されて縦方向への弾性収縮力を発揮する弾性収縮部材とで構成されている。前記弾性収縮力によって前記本体部の前部と後部が引き付けられることで前記本体部は肌側表面が窪むように変形し、その結果防漏壁の自由縁部が本体部の肌側表面から離れるようにして前記防漏壁が立ち上がる。
【０００４】
例えば、以下の特許文献１に記載のように、使い捨ておむつに設けられる前記防漏壁は、基端部が横方向外側に位置し、自由縁部が縦方向中心線に向けられて、防漏壁は内向きにて斜めに立ち上がる構造を採用しているものが多い。使い捨ておむつには、一時に尿が多量に与えられまたは軟便なども与えられるが、防漏壁を内向きにして本体部の肌側表面と防漏壁との間にポケット部を形成することで、前記尿や軟便を捕捉しやすくしている。また、使い捨ておむつは幅寸法が広く、防漏壁も左右に広い間隔を空けて配置できるため、内向きの防漏壁が本体部の肌側表面に倒れ込んだとしても、倒れた防漏壁と防漏壁の間に、比較的広い液吸収面を残すことができる。
【０００５】
一方において、生理用ナプキンは股間部の狭い範囲に装着されるものであり、幅寸法が小さい。そのため、防漏壁を前記おむつのように内向きに配置すると、股間部への密着力で防漏壁が倒れたときに防漏壁が膣口付近に対向してしまい、本体部の肌側表面において実質的に液を吸収できる面積を狭めてしまう。
【０００６】
そのため、以下の特許文献２または特許文献３に記載のように、生理用ナプキンに設けられる防漏壁は、本体部の肌側表面から立ち上がる立上がり壁と、この立上がり壁の自由縁に連続する肌当接壁が設けられ、肌当接壁の外側縁部が横方向の外方に向けられた構造を採用しているのが一般的である。
【０００７】
この種の生理用ナプキンは、股間部に装着したときに、肌当接壁が股間部に面で当接して、防漏壁と身体との密着性を高めることができようにし、また股間部との密着力で肌当接壁が本体部の肌側表面に倒れたとしても、肌側表面の液を吸収できる面積を狭めすぎないことを目指したものである。
【０００８】
【特許文献１】
特開２００１−２９３０３１号公報
【特許文献２】
特開２００１−１４５６６７号公報
【特許文献３】
特開２００２−６５６号公報
【０００９】
【発明が解決しようとする課題】
図１１は、前記特許文献２に記載されたような従来の生理用ナプキン１００が、身体の股間部に装着された状態を示す説明図である。
【００１０】
生理用ナプキン１００の本体部は、液透過性の表面シート１０１と液不透過性の裏面シート１０２との間に液吸収層１０３が挟まれたものであり、本体部には左右両側へ延出する折返しフラップ部１０４，１０４が設けられている。この折り返しフラップ部１０４，１０４が、下着のクロッチ部１１０の両側縁において折り返され、折り返しフラップ部１０４，１０４が、前記クロッチ部１１０の外面に接着されることで、生理用ナプキン１００が下着に位置決めされる。
【００１１】
生理用ナプキン１００の本体部の左右両側には、防漏壁１０５，１０５が設けられている。特許文献２などに記載の従来の生理用ナプキン１００は、外力を与えていない状態で、前記防漏壁１０５，１０５の肌当接壁１０５ａ，１０５ａの外側縁部１０５ａ１，１０５ａ１が横方向へ向けられて、肌当接壁１０５ａ，１０５ａが本体部の肌側表面とほぼ平行な姿勢となっている。
【００１２】
一方、女性の身体の構造は、股間部において膣口１２１の両側に大陰唇１２２，１２２が存在して膣口１２１の左右両側部分が突出しており、大腿部１２３，１２３と股間部との境界部分では、狭い窪み１２４，１２４が形成されている。
【００１３】
従来の生理用ナプキン１００では、股間部および大腿部１２３，１２３との密着力により、防漏壁１０５，１０５の肌当接壁１０５ａ，１０５ａは、その外側縁部１０５ａ１，１０５ａ１が垂れ下がるように変形しやすい。その結果、股間部の両側部の前記窪み１２４，１２４の部分で、肌当接壁１０５ａ，１０５ａと身体との間に隙間が形成されやすくなる。
【００１４】
生理用ナプキン１は膣口１２１から排出される経血を液吸収層１０３で吸収するものであるが、液吸収層１０３で吸収しきれずに、股間部を伝わって側方に漏れる経血も存在する。前記のように肌当接壁１０５ａ，１０５ａと身体との間に隙間が形成されていると、股間部を伝わる経血が肌当接壁１０５ａ，１０５ａを越えて大腿部１２３，１３に向けて漏れ出やすくなり、下着を汚すおそれが生じる。
【００１５】
また、着座時や就寝時には、液吸収層１０３で吸収しきれずに股間部を伝わった経血が、さらに窪み１２４，１２４に沿って前後に移動しやすいために、生理用ナプキン１の後方への経血の漏れも発生しやすい。
【００１６】
本発明は、前記従来の課題を解決するものであり、本体部に設けられた防漏壁を、膣口の左右両側において股間部に密着しやすい姿勢で立ち上がらせることにより、経血の横漏れや後方への漏れを防止しやすい生理用ナプキンを提供することを目的としている。
【００１７】
【課題を解決するための手段】
本発明は、液吸収層を備えて肌側表面と着衣側表面を有する本体部と、前記本体部の肌側表面で横方向に間隔を開けて縦方向に延在する防漏壁とを有する生理用ナプキンにおいて、
前記防漏壁は、シートと前記シートに弾性収縮力を与える弾性収縮部材とを有し、前記防漏壁には、縦方向に延在する基端が前記本体部の肌側表面に固定された立上がり壁と、前記基端から離れた位置で前記立上がり壁に連続する肌当接壁とが形成されて、前記肌当接壁は、縦方向中心線寄りに設けられた内側縁部と、前記内側縁部よりも横方向外側に設けられた外側縁部とを有し、前記内側縁部の縦方向における前端および後端と、前記外側縁部の縦方向における前端および後端とが、前記本体部の肌側表面に固定されており、
前記外側縁部の前端と後端との縦方向の距離が、前記内側縁部の前端と後端との縦方向の距離よりも長く、前記外側縁部が前記内側縁部よりも肌側に離れた状態で前記防漏壁が立上がり可能とされていることを特徴とするものである。
【００１８】
この生理用ナプキンの防漏壁は、肌当接壁の外側縁部が内側縁部よりも肌側へ離れるように傾斜した姿勢で立ち上がるため、肌当接部が女性の股間部での膣口の左右両側の表面形状にフィットしやすい。よって、肌当接部と股間部との間に隙間が生じにくくなり、経血が横漏れしにくくなる。
【００１９】
本発明は、前記内側縁部の前端よりも前記外側縁部の前端が前方に位置し、前記内側縁部の後端よりも前記外側縁部の後端が後方に位置しているものである。
【００２０】
このように構成することにより、肌当接壁の外側縁部が内側縁部よりも肌側に向くように傾斜姿勢となりやすくなる。
【００２１】
本発明では、前記内側縁部の前端と後端との縦方向の距離が、前記外側縁部の前端と後端との縦方向の距離の５０〜９５％の範囲に設定されていることが好ましい。
【００２２】
前記のように前端と後端との距離に差を持たせることにより、肌当接壁は、傾斜姿勢になりやすくなる。
【００２３】
また、本発明は、前記肌当接壁には、縦方向に延在する第１の弾性収縮部材および第２の弾性収縮部材が設けられ、前記第１の弾性収縮部材は外側縁部に沿ってまたは外側縁部に近い位置に設けられ、前記第２の弾性収縮部材は内側縁部に沿ってまたは内側縁部に近い位置に設けられており、本体部を平坦な状態としたときに、前記第１の弾性収縮部材による弾性収縮力が前記第２の弾性収縮部材による弾性収縮力よりも大きいものとして構成されることが好ましい。
【００２４】
前記のように第１の弾性収縮部材の弾性収縮力と第２の弾性収縮部材の弾性収縮力に差を設けることで、肌当接壁の外側縁部が内側縁部よりも肌側へ位置する状態を設定しやすくなる。
【００２５】
本発明は、前記立上がり壁の前記基端から離れた中間部が、前記内側縁部の前端と外側縁部の前端との間、および前記内側縁部の後端と外側縁部の後端との間において本体部の肌側表面に固定されて、前記立上がり壁の中間部に、横方向外側に向く折曲げ軸が形成されているものとして構成できる。
【００２６】
前記構成では、股間部との密着力によって肌当接壁に押圧力が作用したときに、肌当接壁が傾斜姿勢を維持したまま本体部に向けて下がるように変形しやすい。よって、肌当接壁が股間部に対して左右に大きくずれることなく密着できるようになる。
【００２７】
また、本発明は、前記立上がり壁と前記肌当接壁との境界部が、前記肌当接壁の内側縁部と外側縁部との中間に位置し、前記肌当接壁に、前記内側縁部から前記境界部までの内側壁部と、前記境界部から前記外側縁部までの外側壁部とが形成されているものとすることができる。
【００２８】
好ましくは、防漏壁が立ち上がった状態で、前記外側縁部が前記境界部よりも肌側に位置して、前記外側壁部が傾斜する姿勢となる。
【００２９】
前記構成では、内側壁部が膣口の左右両側部分に対して面で当接し、外側壁部が傾斜して股間部と大腿部との境界部に密着しやすくなる。
【００３０】
この場合に、前記内側壁部が、前記外側壁部よりも多くのシートで形成されていると、内側壁部よりも外側壁部の傾きを大きくできる。
【００３１】
また、前記外側壁部の幅寸法が、内側壁部の幅寸法よりも大きいことが好ましい。外側壁部の幅寸法を内側壁部の幅寸法よりも大きくすることにより、傾斜姿勢となる幅広の外側壁部を、股間部の左右両側に対向させることができる。
【００３２】
【発明の実施の形態】
図１は本発明の第１の実施の形態の生理用ナプキンが下着に装着された状態を示す斜視図、図２は、前記生理用ナプキンを肌側表面から見た平面図、図３は図２に示す生理用ナプキンの一部を示す拡大平面図、図４は立ち上がった状態の防漏壁を示す部分斜視図、図５は立ち上がった状態の防漏壁を示す図４のＡ−Ａ線の断面図、図６（Ａ）（Ｂ）は、それぞれ図４の（ｉ）−（ｉ）断面、（ｉｉ）−（ｉｉ）断面での防漏壁を簡易的に示す断面図、図７（Ａ）（Ｂ）は、それぞれ図４の（ｉｉｉ）−（ｉｉｉ）断面、（ｉｖ）−（ｉｖ）断面での防漏壁を簡易的に示す断面図である。
【００３３】
この実施の形態の生理用ナプキン１は、肌側表面２ａおよび着衣側表面２ｂを有する縦長の本体部２と、この本体部２の肌側表面２ａから立ち上がり可能な一対の防漏壁３０，３０を有している。
【００３４】
図２は図１に示す生理用ナプキン１を湾曲させずに平坦となるように展開した平面図である。図２に示す縦方向中心線Ｏｙ−Ｏｙは、生理用ナプキン１の前縁部１ａと後縁部１ｂの中心を横切る線であり、この生理用ナプキン１は、縦方向中心線Ｏｙ−Ｏｙに対して左右対称形状である。図２に示す横方向基準線Ｏｘ−Ｏｘは、前記縦方向中心線Ｏｙ−Ｏｙと直交する。この生理用ナプキン１は、肌側表面２ａが女性の股間部に向けられ、縦方向中心線Ｏｙ−Ｏｙと横方向基準線Ｏｘ−Ｏｘとが交叉する部分およびその周辺が、女性の膣口に対向するように着用される。
【００３５】
図５に示すように、前記本体部２の肌側表面２ａでは、前記防漏壁３０と防漏壁３０とで挟まれた領域に液透過性の表面シート３が現れ、左右両側には側方シート４が現れている。この実施の形態では、前記側方シート４によって前記防漏壁３０が形成されている。また本体部２の着衣側表面２ｂには液遮断性の裏面シート５が現れている。
【００３６】
本体部２は、前記表面シート３と裏面シート５との間に、液吸収層６が介在している。図２に示すように、液吸収層６はほぼ長方形状である。液吸収層６の前縁部６ａは、生理用ナプキン１の前縁部１ａよりもやや内側に位置し、液吸収層６の後縁部６ｂは、生理用ナプキン１の後縁部１ｂよりもやや内側に位置している。図５に示すように、液吸収層６の左右の両側縁部６ｃ，６ｃは、それぞれの防漏壁３０の基端３１よりも内側に位置している。ただし、前記両側縁部６ｃ，６ｃが基端３１よりも左右両外側に位置してもよい。
【００３７】
肌側表面２ａでは、防漏壁３０と防漏壁３０とで挟まれた領域に、表面シート３および液吸収層６が圧縮されて形成された圧縮溝が設けられている。図２に示すように、前記圧縮溝は、縦方向に湾曲しながら延びる縦圧縮溝１１，１１と、前方において前記縦圧縮溝１１と１１との間に位置する前方横圧縮溝１２と、後方において縦圧縮溝１１と１１とを繋ぐ後方横圧縮溝１３を有している。
【００３８】
前記縦圧縮溝１１，１１と前方横圧縮溝１２および後方横圧縮溝１３とで囲まれた領域が、縦長の主吸収領域１０となっている。この主吸収領域１０は、前方主吸収領域１０Ａと中間主吸収領域１０Ｂと後方主吸収領域１０Ｄに区分できる。
【００３９】
前方主吸収領域１０Ａでは、左右の縦圧縮溝１１，１１が縦方向中心線Ｏｙ−Ｏｙに凸側が向けられる曲線形状であり、前記横方向基準線Ｏｘ−Ｏｘの付近において縦圧縮溝１１と１１との間隔が最も狭くなっている。中間主吸収領域１０Ｂでは、縦圧縮溝１１と１１が縦方向中心線Ｏｙ−Ｏｙから離れる方向へ凸側が向けられる曲線形状である。後方主吸収領域１０Ｄでは、縦圧縮溝１１と１１との間隔が、前記中間主吸収領域１０Ｂよりも狭く縦方向へ細長く形成されている。
【００４０】
図２に示すように、前方横圧縮溝１２の前方には、前方外側圧縮溝１４が形成されており、この前方外側圧縮溝１４は、左右の前記縦圧縮溝１１，１１と連続し、前方に凸側が向けられる曲線形状となっている。前記後方横圧縮溝１３の後方には、後方外側圧縮溝１６が形成されている。縦圧縮溝１１，１１と前記後方横圧縮溝１３および後方外側圧縮溝１６は繋がっており、後方横圧縮溝１３と後方外側圧縮溝１６は、共に後方に凸側が向けられる曲線形状である。
【００４１】
この生理用ナプキン１では、前記縦圧縮溝１１，１１と前方横圧縮溝１２および後方横圧縮溝１３とで囲まれた縦長の主吸収領域１０が、それ以外の領域に比べて肌側に盛り上がる隆起部となっている。
【００４２】
前記前方主吸収領域１０Ａの左右両側では、縦圧縮溝１１，１１の外側に間隔を空けて第１の側方外側圧縮溝２１，２１が形成されている。この第１の側方外側圧縮溝２１，２１も、縦方向中心線Ｏｙ−Ｏｙに凸側が向けられる曲線形状であり、横方向基準線Ｏｘ−Ｏｘ付近においてその間隔が最短となっている。
【００４３】
前記後方主吸収領域１０Ｄの左右両外側では、前記縦圧縮溝１１，１１に横方向へ間隔を空けて、第２の側方外側圧縮溝２２，２２が形成されている。この第２の側方外側圧縮溝２２，２２は縦方向中心線Ｏｙ−Ｏｙとほぼ平行で縦方向に向けて延びている。
【００４４】
前記各圧縮溝は、表面シート３側から、この表面シート３と液吸収層６とを一緒に加熱して加圧することにより形成されている。各圧縮部の底部では、高密度に圧縮された高密度圧縮部とこれよりもやや密度が低い中密度圧縮部とが、圧縮部の線パターンに沿って交互に形成され、全体が窪んだ溝形状となっている。
【００４５】
図２に示すように、本体部２の側縁部の形状は、縦方向中心線Ｏｙ−Ｏｙを介して左右対称形状である。前記横方向基準線Ｏｘ−Ｏｘを中心として縦方向に所定寸法の範囲では、横方向外側へ突出する折り返しフラップ部４１が形成されている。この折り返しフラップ部４１よりも後方には、同じく横方向外側へ突出する後方フラップ部４２が形成されており、前記折り返しフラップ部４１の前方には、横方向外側へ突出する前方フラップ部４３が形成されている。
【００４６】
生理用ナプキン１の着衣側表面では、折り返しフラップ部４１の着衣側表面に、前方感圧接着剤層５１が設けられている。また後方フラップ部４２の着衣側表面に、第１の後方感圧接着剤層５２と第２の後方感圧接着剤層５３が縦方向に間隔を空けて設けられている。さらに、生理用ナプキン１の着衣側表面２ｂでは、縦方向中心線Ｏｙ−Ｏｙを挟んで左右両側に、縦方向に帯状に延びる中央感圧接着剤層５４，５４が設けられている。
【００４７】
図２に示すように、前記側方シート４，４は、本体部２の肌側表面２ａの左右両側に配置されており、側方シート４，４の前縁部４ｆ，４ｆは、生理用ナプキン１の前縁部１ａに一致し、側方シート４，４の後縁部４ｇ，４ｇは、生理用ナプキン１の後縁部１ｂに一致している。また、側方シート４，４の側縁４ｈ，４ｈは、生理用ナプキンの側縁の形状すなわち折り返しフラップ部４１、後方フラップ部４２および前方フラップ部４３の側縁に一致している。
【００４８】
液吸収層６の側縁部６ｃの外側では、裏面シート５と側方シート４とがホットメルト型接着剤を介して接着されている。図５に示すように前記折り返しフラップ部４１では、前記裏面シート５と側方シート４との間に補強シート５６が介在されて接着されており、同様に後方フラップ部４２においても、裏面シート５と側方シート４との間に補強シートが介在して接着固定されている。
【００４９】
図５に示すように、縦方向中心線Ｏｙ−Ｏｙから左右に所定距離離れた部分で、前記側方シート４は、折畳み頂部４ｉから他方の縁部４ｊまでの所定幅の範囲で２枚重ねに折り畳まれて接着されている。前記折畳み頂部４ｉから他方の縁部４ｊまでが所定幅の折畳み部４ａとなっている。
【００５０】
図５に示すように前記折畳み部４ａは、縦方向に延びる基端３１において表面シート３に接着されている。この基端３１は、本体部２の縦方向の全長にかけて縦方向中心線Ｏｙ−Ｏｙと平行に延びている。前記折畳み部４ａは、前記折畳み頂部４ｉと前記基端３１との間に第１の中間部４ｂと第２の中間部４ｄおよび第３の中間部４ｅとを有している。
【００５１】
図６（Ａ）（Ｂ）と図７（Ａ）（Ｂ）は、前記折畳み部４ａおよびこの折畳み部４ａにより形成される防漏壁３０を示す断面図であるが、いずれも構造を簡略化して示している。なお、図６（Ａ）は図５と同じ部分の断面図である。
【００５２】
図６（Ｂ）は、図４に示す生理用ナプキン１の前方に位置する内縁前端３２ａでの断面図を示している。内縁前端３２ａから前縁部１ａ（４ｇ）までの間では、図６（Ｂ）に示すように、基端３１から第３の中間部４ｅまでが表面シート３に重ねられ、その上に第３の中間部４ｅから第２の中間部４ｄまでが重ねられ、さらにその上に第２の中間部４ｄから第１の中間部４ｂまでが重ねられて、全ての部分が重ねられて固定されている。この固定はホットメルト型接着剤であってもよいが、表面シート３と側方シート４とを加圧してヒートシールまたは超音波シールすることにより、側方シート４の重なり部での接合部を薄くでき、肌側での凹凸を少なくできる。
【００５３】
図７（Ａ）は、前記内縁前端３２ａとそれよりも前方に位置する外縁前端３３ａとの中間位置での断面図である。この中間位置では、第１の中間部４ｂから折畳み頂部４ｉに向かう幅寸法Ｗｂの範囲が、肌側表面から離れないように固定されている。図７（Ａ）では、前記幅寸法Ｗｂの固定領域の端部を符号３４ａで示している。図４に示すようにこの固定領域の端部３４ａは、内縁前端３２ａから外縁前端３３ａに向けて斜めに延びている。
【００５４】
図７（Ｂ）は、図４に示す外縁前端３３ａでの断面図を示しているが、この位置では、第１の中間部４ｂから折畳み頂部４ｉまでの全体が、肌側表面から離れないように固定されている。すなわち、図４に示す斜めに延びる端部３４ａと前縁部１ａ（４ｆ）との間で、最上部の折畳み部４ａが肌側表面から離れないように固定されている。この最上部の折畳み部４ａとその下の折畳み部４ａとの固定は、ヒートシール手段でもよいがホットメルト型接着剤による接着手段を用いるのが好ましい。
【００５５】
この実施の形態では、図６（Ｂ）に示すように、基端３１から第１の中間部４ｂまでを表面シート３と共にヒートシールまたは超音波シールすることで側方シート４の重なり部を薄型化ができ、しかも肌に直接触れる第１の中間部４ｂから折畳み頂部４ｉまでの最上部をホットメルト型接着剤で接着することにより、薄型でしかもヒートシールまたは超音波シールによる硬質感を身体に与えにくい重なり接着部を形成できる。
【００５６】
以上のように、この実施の形態では、内縁前端３２ａを通る（ｉｉ）−（ｉｉ）断面から前縁部１ａ（４ｆ）にかけて、図６（Ｂ）に示すように、基端３１から第１の中間部４ｂまでがヒートシール手段で固定され、図４に示す斜めに延びる端部３４ａから前縁部１ａ（４ｆ）にかけて、最上部の側方シート４がホットメルト型接着剤で接着された構造となっている。
【００５７】
なお、図６（Ｂ）において、第１の中間部４ｂから第３の中間部４ｅ付近までの狭い幅Ｗａの範囲においてのみ、表面シート３と側方シート４とが固定され、図７（Ｂ）において、折畳み頂部４ｉを起点とする幅Ｗｃの範囲でのみ最上部の側方シート４が固定されていてもよい。いずれにせよ、内縁前端３２ａでは、少なくとも第１の中間部４ｂが表面シート３から離れないように固定され、外縁前端３３ａで少なくとも折畳み頂部４ｉが肌側表面から離れないように固定されていれば、どのような重ね構造や接合構造であってもよい。
【００５８】
例えば、図７（Ｂ）に示す第１の中間部４ｂから所定の幅Ｗｄの折畳み部４ａを肌側表面に固定せずに自由状態とすることも可能である。このような構造であっても、本発明に包含されることは勿論である。
【００５９】
図２と図３に示すように、生理用ナプキン１の後方部分においても、前記折畳み部４ａは、内縁後端３２ｂにおいて図６（Ｂ）と同じ状態に固定されており、外縁後端３３ｂにおいて図７（Ｂ）と同じ状態に固定されている。そして内縁後端３２ｂと後縁後端３３ｂとの中間位置では、図７（Ａ）と同じ状態に固定されている。前記内縁後端３２ｂでは、第１の中間部４ｂが肌側表面から離れないように固定され、外縁後端３３ｂでは折畳み頂部４ｉが肌側表面から離れないように固定されている。また固定領域の端部３４ｂは、内縁後端３２ｂから外縁後端３３ｂにかけて斜めに延びている。
【００６０】
図３に示すように、外縁前端３３ａと外縁後端３３ｂとの間の縦方向の距離Ｌ１の範囲では、折畳み部４ａの折畳み頂部４ｉが自由状態であり、内縁前端３２ａと内縁後端３２ｂとの間の縦方向の距離Ｌ２の範囲では、図５と図６に示すように、第１の中間部４ｂと折畳み頂部４ｉの双方が自由状態となる。
【００６１】
前記外縁前端３３ａと外縁後端３３ｂとの間の縦方向の距離Ｌ１の範囲で、前記折畳み部４ａによって防漏壁３０が形成されている。図５および図６（Ａ）に示すように、防漏壁３０は、基端３１から第３の中間部４ｅまでがきわめて幅寸法の小さい第１の立上がり壁３５Ａ、第３の中間部４ｅから第２の中間部４ｄまでが第２の立上がり壁３５Ｂ、第２の中間部４ｄから第１の中間部４ｂまでが第３の立上がり壁３５Ｄである。そして第１の中間部４ｂから折畳み頂部４ｉまでが肌当接壁３６となる。この肌当接壁３６では、折畳み頂部４ｉが外側縁部３６Ａとなり、第１の中間部４ｂが内側縁部３６Ｂとなる。
【００６２】
また第２の中間部４ｄは、前記前方の固定領域の端部３４ａにおいて、内縁前端３２ａと外縁前端３３ａとの間で肌側表面に固定されており、後方の固定領域の端部３４ｂにおいて、第２の中間部４ｄは内縁後端３２ｂと外縁後端３３ｂとの間で肌側表面に固定されている。したがって、図５と図６（Ａ）に示す防漏壁３０では、第２の中間部４ｄが第１の中間部４ｂ（内側縁部３６Ｂ）よりも横方向の外側に位置している。
【００６３】
図５および図６（Ａ）に示すように、側方シート４の折畳み部４ａでは、弾性収縮部材３７ａ，３７ｂ，３７ｃ，３７ｄ，３７ｅ，３７ｆ，３７ｇが設けられ、これら弾性収縮部材は縦方向に伸ばされた状態で、前記側方シート４と側方シート４との間に挟まれてホットメルト型接着剤により固定されている。前記弾性部材３７ａないし３７ｇは、前記外縁前端３３ａよりも前方の位置から外縁後端３３ｂよりも後方の位置まで縦方向に向けて互いに平行に配置されている。
【００６４】
弾性部材の数および配置位置は任意であるが、少なくとも肌当接壁３６の外側縁部３６Ａまたはその近傍と、内側縁部３６Ｂまたはその近傍に設けられていることが好ましい。図５および図６（Ａ）に示す実施の形態では、外側縁部３６Ａに第１の弾性収縮部材３７ａが設けられ、内側縁部３６Ｂに第２の弾性収縮部材３７ｄが設けられている。図２および図３に示すように、生理用ナプキン１を平坦な状態としたときに、前記第１の弾性収縮部材３７ａにより発揮される外縁前端３３ａと外縁後端３３ｂとを接近させようとする弾性収縮力は、第２の弾性収縮部材３７ｄにより発揮される内縁前端３２ａと内縁後端３２ｂとを接近させようとする弾性収縮力よりも大きいことが好ましい。
【００６５】
前記第１の弾性収縮部材３７ａによる前記弾性収縮力は、第２の弾性収縮部材３７ｄによる前記弾性収縮力の１．２倍以上であることが好ましい。前記第１の弾性収縮部材３７ａによる弾性収縮力は、例えば０．５〜２Ｎの範囲で調整され、第２の弾性収縮部材３７ｄによる弾性収縮力は、例えば０．８〜１．５Ｎの範囲で調整される。
【００６６】
また、肌当接壁３６の外側縁部３６Ａ側に位置する複数本の弾性収縮部材３７ａ，３７ｂを合わせて第１の弾性収縮部材とし、内側縁部３６Ｂ側に位置する複数本の弾性収縮部材３７ｃ，３７ｄを合わせて第２の弾性収縮部材として、両弾性収縮部材の弾性収縮力に前記のような差を持たせてもよい。
【００６７】
第１の弾性収縮部材の弾性収縮力を第２の弾性収縮部材の収縮力よりも強くするには、第１の弾性収縮部材と第２の弾性収縮部材を同じ縦弾性係数とし、第１の弾性収縮部材を第２の弾性収縮部材よりも大きく伸ばして前記折畳み部４ａに接合すればよい。あるいは第１の弾性収縮部材の縦弾性係数を第２の弾性収縮部材よりも高いものとして、両弾性収縮部材を同じ伸び率で折畳み部４ａに接着してもよい。
【００６８】
また、第２の中間部４ｄまたはその近傍にも弾性収縮部材３７ｆが配置されていることが好ましい。第２の中間部４ｄに弾性収縮部材３７ｆが配置されていると、防漏壁３０では第２の中間部４ｄが、常に内側縁部３６Ｂよりも横方向の外側に位置するようになる。また第２の中間部４ｄが折曲げ軸として機能しやすくなる。よって、肌当接壁３６に身体からの圧力が作用したときに、第２の立上がり壁３５Ｂと第３の立上がり壁３５Ｄが前記第２の中間部４ｄを介して折れ曲がりやすくなる。よって、肌から圧力を受けた肌当接壁３６は、本体部２に向かってほぼ垂直に下がるようになり、肌当接壁３６が左右両側に位置ずれしながら倒れるのを防止しやすくなる。
【００６９】
なお、第３の中間部４ｅにも弾性収縮部材３７ｇを配置することにより、この第３の中間部４ｅを折曲げ軸として機能させることが可能になる。
【００７０】
この生理用ナプキン１では、前記外縁前端３３ａと外縁後端３３ｂとの間に弾性収縮力が作用して、外縁前端３３ａと外縁後端３３ｂを接近させる力が作用し、内縁前端３２ａと内縁後端３２ｂとの間にも、これらを互いに接近させる力が作用する。したがって扁平状態に押圧していない自由状態の生理用ナプキン１では、図１に示すように肌側表面２ａが窪むように変形し、その結果、前記防漏壁３０が肌側表面から立ち上がる。
【００７１】
図３に示すように、外縁前端３３ａが内縁前端３２ａよりも前方に位置し、外縁後端３３ｂが内縁後端３２ｂよりも後方に位置し、外縁前端３３ａと外縁後端３３ｂとの距離Ｌ１が、内縁前端３２ａと内縁後端３２ｂとの距離Ｌ２よりも長いため、肌当接壁３６は、その外側縁部３６Ａが内側縁部３６Ｂよりも肌に近い位置に張設される。よって、肌当接壁３６は内側縁部３６Ｂから外側縁部３６Ａに向けて、斜めに立ち上がる傾斜姿勢となる。
【００７２】
前記距離Ｌ１を距離Ｌ２よりも十分に長くしておくことによって、肌当接壁３６を前記のような傾斜状態に設定することが可能である。しかし、前記のように第１の弾性収縮部材３７ａによる弾性収縮力を、第２の弾性収縮部材３７ｄによる弾性収縮力よりも大きくしておくと、外縁前端３３ａと外縁後端３３ｂとがさらに強く引き付けられる。その結果、外側縁部３６Ａが内側縁部３６Ｂよりもさらに肌側に大きく近く持ち上げられ、肌当接壁３６の傾斜角度を大きく設定できるようになる。
【００７３】
ここで、図３に示す距離Ｌ２は、前記距離Ｌ１の５０〜９５％の範囲に設定されることが好ましい。Ｌ２が前記範囲よりも短いと、肌当接壁３６の内側縁部３６Ｂが本体部２の肌側表面２ａから離れる距離が短くなるため、防漏壁３０全体の立上がり高さが低くなる。またＬ２が前記範囲よりも長いと、外側縁部３６Ａと内側縁部３６Ｂにおける弾性収縮力の差が小さくなり、肌当接壁３６が傾斜姿勢となりにくくなる。
【００７４】
また、この実施の形態の生理用ナプキン１では、左右の防漏壁３０と３０との間の肌側表面２ａに、縦方向に延びる縦圧縮溝１１，１１および第１の側方外側圧縮溝２１，２１が設けられている。本体部２は前記圧縮溝１１，２１を可撓軸として折り曲がりやすい状態である。第１の側方外側圧縮溝２１，２１よりも左右外側において、前記弾性収縮部材３７ａないし３７ｇによる弾性収縮力が作用しているため、図６（Ａ）に示すように、本体部２は防漏壁３０，３０を有する両側部が持ち上がるような変形状態となりやすい。本体部２が図６（Ａ）に示すように変形する結果、肌当接壁３６は、外側縁部３６Ａが内側縁部３６Ｂよりも肌に近くなるように持ち上がるようになり、肌当接壁３６の傾斜角度を大きくできる。
【００７５】
前記防漏壁３０，３０は、少なくとも膣口に対向する前方主吸収領域１０Ａの左右両側に位置していることが必要であり、前記距離Ｌ１は６０ｍｍ以上であることが好ましく、さらには８０ｍｍ以上であることが好ましい。図の実施の形態では、防漏壁３０，３０が膣口の両側方から肛門の側方を経て臀部の溝の側方に至る長いものとなっている。この場合、前記距離Ｌ１の上限は、３５０ｍｍであり、好ましくは２５０ｍｍである。
【００７６】
また、自由状態の生理用ナプキン１において基端３１から外側縁部３６Ａまでの防漏壁３０の立上がり高さの最大値は、８〜５０ｍｍが好ましく、さらに好ましくは１０〜３０ｍｍである。また肌当接壁３６の幅寸法は３〜３０ｍｍであり、さらに好ましくは５〜１５ｍｍである。左右に位置する防漏壁３０，３０の内側縁部３６Ｂと内側縁部３６Ｂとの距離は５０〜８０ｍｍの範囲で設けられる。本発明は、前記範囲に限定されるものではないが、各部の寸法を前記範囲に設定することにより、身体に装着したときに、肌当接壁３６が膣口の両側部に当たって防漏効果を発揮しやすくなり、また身体から押圧力を受けて防漏壁３０が倒れたときに液吸収領域を塞ぐ面積を小さくできる。
【００７７】
次に生理用ナプキン１を形成する各素材の好ましい例を説明する。
表面シート３は液透過性であり、エアースルー不織布、スパンレース不織布、あるいは多数の液透過孔が形成された樹脂フィルムなどで形成できる。裏面シート５は液遮断性の樹脂フィルムであり、通気性のものなどを使用できる。
【００７８】
液吸収層６はパルプの積層体や、パルプと高吸収性ポリマーとの積層体、あるいはパルプのみまたはパルプとレーヨンなどをエアーレイド法で積層し、接着剤で繊維間を固定したエアーレイド不織布などで形成される。液透過層７は三次元骨格を有し、嵩高な不織布であり、例えばエアースルー不織布や、パルプと合成繊維をエアーレイド法で積層して接着剤で固定したエアースルー不織布などで形成される。
【００７９】
次に、側方シート４は液遮断性機能を有し、撥水処理されているものが好ましく使用される。側方シート４は、エアースルー不織布、ポイントボンド不織布、メルトブローン不織布やスパンボンド不織布、あるいはスパンボンド不織布／メルトブローン不織布／スパンボンド不織布の積層不織布などを使用できる。あるいはポリエチレンやポリプロピレンなどの樹脂フィルムの肌当接面側に前記いずれかの不織布が接合されたものなどを使用可能である。
【００８０】
前記弾性収縮部材３７ａないし３７ｇは、ポリウレタン、ポリブタジエン、磯プレンなどのゴム系材料、エチレン−酢酸ビニル共重合体、伸縮性を有するポリオレフィン系の重合体などであり、糸状、繊維状、帯状などの形態のものが使用される。例えば繊度が４７０ｄｔｅｘのポリウレタン弾性糸が、１．５倍に伸ばされた状態で側方シート４に固定されたものが使用される。
【００８１】
前記生理用ナプキンの機能について説明する。
図１は、生理用ナプキン１を生理用ショーツなどの下着６０に装着した状態を示している。この下着６０は、脚開口部６１，６１を有している。この下着６０の前身頃６２と後身頃６３との間がクロッチ部６４であり、生理用ナプキン１の前方部分が前記クロッチ部６４の内面に設置される。
【００８２】
生理用ナプキン１は、中央感圧接着剤層５４により、着衣側表面２ｂの中央部分が、下着のクロッチ部６４から後身頃６３の下部までの内面に接着される。折り返しフラップ部４１はクロッチ部６４の両側部で折り返され、折り返しフラップ部４１，４１に設けられた前方感圧接着剤層５１，５１がクロッチ部６４の外面に接着される。後方フラップ部４２は、後身頃６３の下部内面に展開された状態で、その着衣側表面が、第１の後方感圧接着剤層５２および第２の感圧接着剤層５３によって後身頃６３の内面に接着固定される。
【００８３】
前記下着６０を着用すると、前方主吸収領域１０Ａの縦方向での中央部分、すなわち縦方向中心線Ｏｙ−Ｏｙと横方向中心線Ｏｘ−Ｏｘとの交叉部分およびその周辺が女性の膣口に当接し、前方主吸収領域１０Ａと中間主吸収領域１０Ｂとの中間部分が会陰部に対向し、中間主吸収領域１０Ｂが肛門に対向する。そして中間主吸収領域１０Ｂから後方主吸収領域１０Ｄにかけて、肛門から臀部の溝に沿うようになる。
【００８４】
図１０は、女性の身体に前記生理用ナプキン１が装着された状態を示している。女性の股間部では、膣口１２１の左右両側に大陰唇１２２，１２２が位置して膨らみを有し、大腿部１２３，１２３と股間部との境界には、狭い窪み１２４，１２４が形成されている。
【００８５】
この生理用ナプキン１の防漏壁３０，３０は、膣口の左右両側に対向するが、前記肌当接壁３６，３６は、その外側縁部３６Ａ，３６Ａが内側縁部３６Ｂ，３６Ｂよりも肌に近づく傾斜姿勢となりやすいため、肌当接壁３６，３６は股間部の両側部の膨らみにフィットするように面で当接しやすくなる。また肌当接壁３６，３６は、前記窪み１２４，１２４の内部に入り込むようにしてフィットしやすくなり、前記窪み１２４，１２４と防漏壁３０，３０との間に隙間が形成されにくくなる。
【００８６】
膣口１２１から排出された経血は、表面シート３を透過して液吸収層６で吸収されるが、前記液吸収層６で吸収されずに股間部に沿って左右両側に経血が流れた場合であっても、この経血は、肌当接壁３６，３６よって遮断され、大腿部に向かって流れ難くなる。また肌当接壁３６，３６は前記窪み１２４，１２４に入り込むようにして膣口１２１の両側方から臀部に向けて配置されているため、経血が前記窪み１２４，１２４に沿って前後に流れるのを防止しやすくなる。すなわち、防漏壁３０，３０で止められた経血は、肌当接壁３６，３６を伝わって表面シート３に戻され、液吸収層６で吸収させることができるようになる。
【００８７】
よって、生理用ナプキン１から両側方への経血の漏れや、経血が股間部を後方へ伝わって生理用ナプキン１の後方への漏れを生じる現象を阻止しやすくなる。
【００８８】
図８は、前記第１の実施の形態の生理用ナプキン１の変形例を示すものであり、図６（Ａ）に相当する断面図である。
【００８９】
この生理用ナプキン３０１は、本体部２が前記第１の実施の形態の生理用ナプキン１と同じ構造で同じ形状である。生理用ナプキン３０１は、本体部２の左右両側に側方シート４，４が設けられ、側方シート４の折畳み部４ａで防漏壁１３０が形成されている。
【００９０】
防漏壁１３０は、基端１３１から中間部１３０ｂまでが立ち上がり壁１３５であり、中間部１３０ｂと折畳み頂部４ｉとの間が肌当接壁１３６である。そして折畳み頂部４ｉが肌当接壁１３６の外側縁部１３６ａであり、中間部１３０ｂが肌当接壁１３６の内側縁部１３６ｂとなっている。側方シート４の折畳み部４ａには、弾性収縮部材３７ａないし３７ｅが固定されている。そして、第１の弾性収縮部材３７ａの弾性収縮力が、第２の弾性収縮部材３７ｄの弾性収縮力よりも大きく設定されている。
【００９１】
この生理用ナプキン３０１においても、図２と図３に示す内縁前端３２ａと内縁後端３２ｂにおいて内側縁部１３６ｂが肌側表面に固定され、外縁前端３３ａと外縁後端３３ｂにおいて外側縁部１３６ａが肌側表面に固定されている。したがって、肌当接壁１３６は、外側縁部１３６ａが内側縁部１３６ｂよりも肌側に持ち上がる傾斜姿勢となる。
【００９２】
図９は、本発明の前記第２の実施の形態の生理用ナプキン４０１を示すものであり、図５に相当する断面図である。
【００９３】
この生理用ナプキン４０１は、本体部２が前記第１の実施の形態の生理用ナプキン１と同じ構造で同じ形状であるが、防漏壁２３０の構造が前記第１の実施の形態と相違している。
【００９４】
生理用ナプキン４０１は、本体部２の左右両側に側方シート４，４が設けられ、側方シート４の折畳み部４ａで防漏壁２３０が形成されている。防漏壁２３０は、基端２３１から立ち上がる立上がり壁２３２を有し、立上がり壁２３２の上端に位置する境界部２３３から上方が肌当接壁２３４となっている。前記肌当接壁２３４では、縦方向中心線Ｏｙ−Ｏｙ側に向く幅寸法Ｗ１の範囲で、前記折畳み部４ａがさらに２重に折られて互いに固定されている。前記幅寸法Ｗ１の範囲での重ね合わせ部の固定手段は、肌に硬質感を与えないようにホットメルト型接着剤により接着されることが好ましい。
【００９５】
前記肌当接壁２３４は、縦方向中心線Ｏｙ−Ｏｙに向けられる内側縁部２３４ｂと、左右両外側に向けられる外側縁部２３４ａとを有している。内側縁部２３４ｂと境界部２３３との間が内側壁部２３５であり、その幅寸法はＷ１である。前記肌当接壁２３４は、前記境界部２３３から外側縁部２３４ａまでが外側壁部２３６であり、その幅寸法はＷ２である。前記内側壁部２３５は側方シート４が４枚重ねで互いに接着されている。そのため、内側壁部２３５は外側壁部２３６よりも剛性が高くなっている。
【００９６】
前記防漏壁２３０を形成している折り畳み部４ａでは、側方シート４と側方シート４との間に弾性収縮部材２７ａ，２７ｂ，２７ｃ，２７ｄ，２７ｅ，２７ｆ、２７ｇが固定されている。この弾性収縮部材の数および配置位置は任意であるが、肌当接壁２２４の外側縁部２３４ａまたはその近傍と、内側縁部２３４ｂまたはその近傍に弾性収縮部材２７ａと２７ｄとが設けられていることが好ましい。また境界部２３３にも弾性収縮部材２７ｅが配置されていることが好ましい。前記各部に弾性収縮部材を配置することにより、自由状態において防漏壁２３０が図９に示す立上がり状態を維持しやすくなる。
【００９７】
前記外側縁部２３４ａに設けられている第１の弾性収縮部材２７ａの弾性収縮力は、第２の弾性収縮部材２７ｄの弾性収縮力および同じく第２の弾性収縮部材２７ｃの弾性収縮力よりも大きいことが好ましい。
【００９８】
この生理用ナプキン４０１においても、図２と図３に示す内縁前端３２ａと内縁後端３２ｂにおいて内側縁部２３４ｂが肌側表面に固定され、外縁前端３３ａと外縁後端３３ｂにおいて外側縁部２３４ａが肌側表面に固定されている。
【００９９】
この防漏壁２３０では、内側壁部２３５において側方シート４の重ね枚数が多く剛性が高いために、内側縁部２３４ｂと境界部２３３との間に、縦方向での弾性収縮領域の長さの差が存在しても、内側壁部２３５はさほど急激な傾斜姿勢とならない。一方、外側壁部２３６はそれ自体の剛性が低く、しかも第１の弾性収縮部材２７ａの弾性収縮力が強いため、外側壁部２３６は、外側縁部２３４ａが肌側に近づく傾斜姿勢となり、その傾斜角度は内側壁部２３５よりも大きくなっている。
【０１００】
よって、この生理用ナプキン４０１を装着すると、内側壁部２３５が膣口の左右両側部分に面で当接しやすく、斜めに傾斜した姿勢となる外側壁部２３６は、図１０に示す大腿部１２３の付け根の窪み１２４内に入り込むようにフィットしやすくなる。
【０１０１】
図９に示すように、折畳み部４ａがさらに２重に重ねられて接着された内側壁部１２５は、防漏壁２３０の全長に渡って形成されていてもよいが、横方向中心線Ｏｘ−Ｏｘの前方３０ｍｍの範囲および後方３０ｍｍの範囲のように、膣口の両側方にのみ設けられる構造であってもよい。この場合、前記範囲以外の防漏壁２３０は、図５に示す構造または図８に示す構造などとなる。股間部の膣口の両側方においてのみ図９に示す構造にすると、膣口の両側で防漏壁２３０が股間部にフィットしやすくなる。
【０１０２】
また、防漏壁２３０の好ましい立上がり高さ寸法などは、第１の実施の形態の生理用ナプキン１と同じである。
【０１０３】
ただし、図９において内側壁部２３５の幅寸法Ｗ１は、前記幅寸法Ｗ１と外側壁部２３６の幅寸法Ｗ２との合計に対して２０〜５０％の範囲であることが好ましい。例えば前記幅寸法Ｗ１は３〜１５ｍｍが好ましく、さらに好ましくは５〜１０ｍｍである。また、前記幅寸法Ｗ２は５〜２０ｍｍが好ましく、さらに好ましくは５〜１５ｍｍである。また肌当接壁２３４の幅寸法の好ましい範囲は前記第１の実施の形態と同じである。
【０１０４】
外側壁部２３６の幅寸法Ｗ２を内側壁部２３５の幅寸法Ｗ１よりも大きくすることにより、急角度の傾斜姿勢となる外側壁部２３６を、股間部の両側の前記窪み部１２４に入り込ませて股間部にフィットさせやすくなる。
【０１０５】
なお、本発明は、前記のように縦方向に長い生理用ナプキンに限定されるものではなく、横方向基準線Ｏｘ−Ｏｘを中心として前後の長さ寸法がほぼ同等の生理用ナプキンにおいても実施可能である。
【０１０６】
【発明の効果】
以上のように本発明では、防漏壁を股間部にフィットさせて、横方向への漏れや前後方向への漏れを防止しやすい生理用ナプキンを提供できる。
【図面の簡単な説明】
【図１】本発明の実施の形態の生理用ナプキンが下着に装着された状態を示す斜視図、
【図２】前記生理用ナプキンの平面図、
【図３】前記生理用ナプキンの一部拡大平面図、
【図４】前記生理用ナプキンの防漏壁の立上がり状態を示す部分斜視図、
【図５】図４の（ｉ）−（ｉ）線の断面図、
【図６】（Ａ）は図４の（ｉ）−（ｉ）線の断面を簡略化して示す断面図、（Ｂ）は図４の（ｉｉ）−（ｉｉ）線の断面を簡略化して示す断面図、
【図７】（Ａ）は図４の（ｉｉｉ）−（ｉｉｉ）線の断面を簡略化して示す断面図、（Ｂ）は図４の（ｉｖ）−（ｉｖ）線の断面を簡略化して示す断面図、
【図８】第１の実施の形態の変形例を示すものであり図６（Ａ）に相当する断面図、
【図９】本発明の第２の実施の形態の生理用ナプキンを示す図５に相当する断面図、
【図１０】本発明の生理用ナプキンが股間部に装着された状態を示す説明図、
【図１１】従来の生理用ナプキンが股間部に装着された状態を示す説明図、
【符号の説明】
１，３０１，４０１  生理用ナプキン
２  本体部
２ａ  肌側表面
２ｂ  着衣側表面
３  表面シート
４  側方シート
４ａ  折畳み部
４ｂ  第１の中間部
４ｄ  第２の中間部
４ｅ  第３の中間部
４ｉ  折畳み頂部
５  裏面シート
６  液吸収層
１０  主吸収領域
１０Ａ  前方主吸収領域
１０Ｂ  中間主吸収領域
１０Ｄ  後方主吸収領域
１１  縦圧縮溝
３０  防漏壁
３１  基端
３２ａ  内縁前端
３２ｂ  内縁後端
３３ａ  外縁前端
３３ｂ  外縁後端
３５Ａ  第１の立ち上がり壁
３５Ｂ  第２の立上がり壁
３５Ｄ  第３の立上がり壁
３６  肌当接壁
３６Ａ  外側縁部
３６Ｂ  内側縁部
３７ａ〜３７ｇ  弾性収縮部材
２３０  防漏壁
２３１  基端
２３２  立上がり壁
２３３  境界部
２３４  肌当接壁
２３４ａ  外側縁部
２３４ｂ  内側縁部
２３５  内側壁部
２３６  外側壁部
【図１】
2005007076.tif 000003
【図２】
2005007076.tif 000004
【図３】
2005007076.tif 000005
【図４】
2005007076.tif 000006
【図５】
2005007076.tif 000007
【図６】
2005007076.tif 000008
【図７】
2005007076.tif 000009
【図８】
2005007076.tif 000010
【図９】
2005007076.tif 000011
【図１０】
2005007076.tif 000012
【図１１】
2005007076.tif 000013